(57)【特許請求の範囲】
【請求項１】
基準線が描かれたターゲット板からなるレーザ測量機用ターゲットにおいて、
前記ターゲット板に、前記基準線と一致する中心線と、レーザ測量機から出射されるレーザビームによるターゲット板上の照射部分の幅よりもいくらか長い底辺とを有する二等辺三角形の切欠きを設けたことを特徴とするレーザ測量機用ターゲット。
【請求項２】
前記切欠きの頂角には面取りがされたことを特徴とする請求項１に記載のレーザ測量機用ターゲット。
【請求項３】
表面に基準線が描かれ、裏面に反射面が形成されたターゲット板からなるレーザ測量機用ターゲットにおいて、
前記反射面に、前記基準線と一致する中心線と、レーザ測量機から出射されるレーザビームによるターゲット板上の照射部分の幅よりもいくらか長い底辺とを有する二等辺三角形の切欠きを設けたことを特徴とするレーザ測量機用ターゲット。
【請求項４】
前記切欠きは前記基準線の両端に配置されたことを特徴とする請求項１、２又は３に記載のレーザ測量機用ターゲット。
【請求項５】
前記基準線に一致する底辺を有する切欠きを前記ターゲット板に設けたことを特徴とする請求項１、２、３又は４に記載のレーザ測量機用ターゲット。
【請求項６】
前記ターゲット板の表面に反射ターゲット部を備えたことを特徴とする請求項１、２、３、４又は５に記載のレーザ測量機用ターゲット。
【請求項７】
基準線が描かれたターゲット板からなるレーザ測量機用ターゲットにおいて、
前記ターゲット板に、前記基準線と一致する中心線と、レーザ測量機から出射されるレーザビームによるターゲット板上の照射部分の幅よりもいくらか長い底辺とを有する二等辺三角形を不透明印刷したことを特徴とするレーザ測量機用ターゲット。
【発明の詳細な説明】
【０００１】
【発明の属する技術分野】
本発明は、室内外で工事等を行うときの墨出し作業において、レーザビームを出射して水平面等の基準面を設定するレーザ測量機とともに用いられるレーザ測量機用ターゲットに関する。
【０００２】
【従来の技術】
図８に示したように、レーザ測量機１は、投光部３からレーザビーム２を水平面と平行に出射し、レーザ光により水平面を設定するものである。この場合、標尺又は壁面４等に接して置いたターゲット６で、レーザビーム２の照射位置を確認することによって水平面を設定している。このとき用いられるターゲット６の正面図を図９に示す。
【０００３】
このターゲット６は、レーザビーム２をどこからでも見易いように乱反射させるため、細かいシボ加工を施した赤色半透明のアクリル板１０に裏面に、光を反射する銀色の反射シート１２を貼着しており、アクリル板１０の表面に白色塗料により基準線２０及び目盛２２をシルク印刷している。また、ターゲット６には、鉤針状のフックや糸等を通して吊り下げて使用するときに用いる孔２３や、壁面４等に印を付けるときに鉛筆等を当てるための切欠き２４も設けられている。また、このターゲット６では、アクリル板１０の下部が切り欠かれてあご部２５を形成しており、このあご部２５に磁石２７がビス２９等により着脱自在に取り付けられていて、ターゲット６を適当な磁性体部分に固定しても使用できるようにもなっている。
【０００４】
このようなレーザ測量機１とターゲット６を用いて墨出し作業をするときは、まず、ターゲット６をレーザビーム２で照射した状態で、ターゲット６を上下移動させ、基準線２０をレーザビーム２によるターゲット６上の照射部分２６の中心線に一致させることにより、ターゲット６の位置合わせをする。それから、切欠き２４又は目盛２２に鉛筆等を当てるなどして壁面４に印を付けていた。
【０００５】
【発明が解決しようとする課題】
ところで、前述のレーザ測量機１から出射するレーザビーム２は、ある程度の垂直方向の幅を有しているので、レーザビーム２によるターゲット６上の照射部分２６もある程度の幅を有することになり、レーザビーム２によるターゲット６上の照射部分２６の中心線、すなわちレーザビーム２が設定する水平面等の基準面と、ターゲット６に描かれた基準線２０とを正確に合わせることは、かなりの骨が折れるという問題があった。もちろん、レーザ測量機１にオートフォカス機構を備え、レーザビーム２をターゲット６上に集光させるようにすれば、レーザビーム２が設定する水平面等の基準面と、ターゲット６に描かれた基準線２０とを一致させることは簡単になるが、この場合には、レーザ測量機１が高価になってしまうという問題がある。
【０００６】
そこで、本発明では、以上のような問題を解決するため、レーザビームを出射するレーザ測量機を改修することなく、ターゲットのみを安価に改良するだけで、墨出し作業時等に、レーザビームにより設定された基準面とターゲットに描かれた基準線とを高精度で容易に一致させることができるレーザ測量機用ターゲットを提供することを課題とする。
【０００７】
【課題を解決するための手段】
上記の諸問題を解決するため、請求項１に係る発明は、基準線が描かれたターゲット板からなるレーザ測量機用ターゲットにおいて、前記ターゲット板に、前記基準線と一致する中心線と、レーザ測量機から出射されるレーザビームによるターゲット板上の照射部分の幅よりもいくらか長い底辺とを有する二等辺三角形の切欠きを設けたことを特徴とする。
【０００８】
請求項２に係る発明は、請求項１に係る発明において、前記切欠きの頂角には面取りがされたことを特徴とする。
【０００９】
請求項３に係る発明は、表面に基準線が描かれ、裏面に反射面が形成されたターゲット板からなるレーザ測量機用ターゲットにおいて、前記反射面に、前記基準線と一致する中心線と、レーザ測量機から出射されるレーザビームによるターゲット板上の照射部分の幅よりもいくらか長い底辺とを有する二等辺三角形の切欠きを設けたことを特徴とする。
【００１０】
請求項４に係る発明は、請求項１、２又は３に係る発明において、前記切欠きは前記基準線の両端に配置されたことを特徴とする。
【００１１】
請求項５に係る発明は、請求項１、２、３又は４に係る発明において、前記基準線に一致する底辺を有する切欠きを前記ターゲット板に設けたことを特徴とする。
【００１２】
請求項６に係る発明は、請求項１、２、３、４又は５に係る発明において、前記ターゲット板の表面に反射ターゲット部を備えたことを特徴とする。
【００１３】
請求項７に係る発明は、基準線が描かれたターゲット板からなるレーザ測量機用ターゲットにおいて、前記ターゲット板に、前記基準線と一致する中心線と、レーザ測量機から出射されるレーザビームによるターゲット板上の照射部分の幅よりもいくらか長い底辺とを有する二等辺三角形を不透明印刷したことを特徴とする。
【００１４】
【発明の実施の形態】
以下、本発明のレーザ測量機用ターゲットについて、図面を用いて詳細に説明する。
【００１５】
まず、第１の実施例であるレーザ測量機用ターゲットの正面図を図１に示す。このターゲット６Ａは、従来例と同様に細かいシボ加工を施した赤色半透明なターゲット板であるアクリル板１０の裏面側に、銀色の反射シートを貼着又は銀色の反射塗料を塗布して、反射面を形成している。ターゲット板としてはアクリル板１０の他にも、ナイロンシートやアクリルシート等、その他赤色半透明な材料の板でもよい。アクリル板１０の表面には白色塗料（黄色等の白色に近い明色塗料でもよい。）により基準線２０と目盛２２がシルク印刷されている。アクリル板１０の上部には、フックや糸等を通して吊り下げて使用するときに用いる孔２３が開けられ、アクリル板１０の下部のあご部２５には、図示しないが従来のものと同様に磁石が着脱自在に固定される。
【００１６】
本実施例においては、レーザ測量機から出射するレーザビーム２の色が赤色である場合に合わせて、レーザビーム２を最も視認しやすいように、アクリル板１０を赤色半透明にしたが、アクリル板１０は、赤色半透明に限るものではなく、レーザビーム２の色が別色（例えば緑色）の場合には、レーザビーム２を最も視認しやすい別の色としてもよい。また、アクリル板１０にはシボ加工を施し、入射したレーザビーム２を乱反射することによりレーザビーム２の照射部分２６を視認し易くする。
【００１７】
また、アクリル板１０においては、基準線２０の一端側には壁面４等に印を付けるときに鉛筆等を当てるための小さな切欠き２４が設けられ、基準線２０の他端側にはレーザビーム２によるアクリル板１０上の照射部分２６の中心線と基準線２０とを合わせるための細長い二等辺三角形の切欠き５０が設けられる。この切欠き５０は、中心線５２が基準線２０に一致しており、底辺５４の長さｆがレーザビーム２によるアクリル板１０上の照射部分２６の幅ｄよりもいくらか長くされている。二等辺三角形の切欠き５０の頂角５８には、直線状又は円弧状の面取りをする。この面取りにより、この切欠き５０の頂角５８付近での応力集中を緩和し、この頂角５８からアクリル板１０の破損が発生することを防止する。
【００１８】
このターゲット６Ａを基準線２０がレーザビーム２の照射部分２６内に位置するように置くと、図１に示したように、レーザビーム２によるアクリル板１０上の照射部分２６は、レーザビーム２がアクリル板１０の裏面の反射面で反射されるため、斜線で示したような高輝度面５６となる。この高輝度面５６の端６０には、切欠き５０の存在のため上側の端６２と下側の端６４とが存在する。このとき、正確に照射部分２６の中心線が基準線２０に一致していると、高輝度面５６の端６０は、上側の端６２と下側の端６４の左右方向位置が一致する。
【００１９】
しかし、基準線２０と照射部分２６の中心線とがずれていると、高輝度面５６の端６０は、上端６２と下端６４の左右方向位置が一致しない。たとえば、基準線２０が照射部分２６の中心線から下にずれると、高輝度面５６の端６０において、上側の端６２と下側の端６４の左右方向位置が、図２に示したようにずれる。逆に、基準線２０が照射部分２６の中心線から上にずれると、高輝度面５６の端６０において、上側の端６２と下側の端６４が、図３に示したように図２と反対にずれる。そこで、ターゲット６Ａを上下させて、高輝度面５６の端６０において、上側の端６２と下側の端６４との左右方向位置を一致させることにより、照射部分２６の中心線すなわちレーザビーム２が設定する基準面と基準線２０とを高精度に一致させることができる。
【００２０】
次に、図４に第２実施例を示す。本実施例のターゲット６Ｂでは、ターゲット板であるアクリル板１０が横長になっており、基準線２０の両端にレーザビーム２によるアクリル板１０上の照射部分２６の中心線と基準線２０とを合わせるための細長い二等辺三角形の切欠き５０が設けられる。さらに、アクリル板１０の上辺６６から基準線２０に達し、底辺６８が基準線２０と一致した四角形の切欠き７０も設けられる。アクリル板１０は、裏面に反射面が形成され、表面に基準線２０と目盛２２がシルク印刷され、あご部２５に図示しない磁石が着脱自在に固定されることは、前記第１実施例と同じである。
【００２１】
本実施例では、基準線２０の両端に二等辺三角形の切欠き５０が設けられるので、左右一対の切欠き５０を同時に利用してターゲット６Ｂの位置あわせを行うことにより、ターゲット６Ｂが傾いた状態ままターゲット６Ｂの位置合わせ行うことが防止でき、いっそう高精度にレーザビーム２が設定する基準面と基準線２０とを一致させることが容易となる。さらに、四角形の切欠き７０の底辺６８に沿って直線を引くことにより、レーザビーム２の設定する基準面に沿う直線を簡単に引くことができて便利である。
【００２２】
次に、第３実施例を図５に示す。本実施例のターゲット６Ｃは、前記第１実施例のターゲットのアクリル板１０において、二等辺三角形の切欠き５０の位置を避けて、アクリル板１０の表面に反射ターゲット部７４を備えたものである。反射ターゲット部７４は、マイクロプリズムをびっしりと並べたものであり、レーザビーム２を確実にレーザ測量機に向けて反射するものである。本実施例によれば、このターゲット６Ｃを基準にして、レーザプレーナ等から出射するレーザビームをスキャンさせることができるので、レーザプレーナ等のようにレーザビームをスキャンさせて使用するレーザ測量機とともに使用した場合にも、レーザビームによるアクリル板１０上の照射部分の中心線とターゲットに描かれた基準線２０とを高精度で容易に一致させることができる。
【００２３】
次に、第４実施例を図６に示す。本実施例のターゲット６Ｄは、ターゲット板であるアクリル板１０において、アクリル板１０には切欠きを設けずに、アクリル板１０の裏面に反射シートを貼着するか、反射塗料を塗布することにより反射面１２を形成し、この反射面１２のみに前記第１実施例の切欠き５０が存在する位置に対応させて切欠き５１を設ける。これ以外は、前記第１実施例と同じである。この実施例では、反射面１２に設けた切欠き５１は、レーザビーム２を透過させるが反射させないので、第１実施例の切欠き５０と似た機能を有する。しかも、アクリル板１０表面には、基準線２０をシルク印刷していて、レーザビーム２の中心を視認し易くしており、また、図示しない目盛もシルク印刷されており、墨出し作業の便を図っている。
【００２４】
さらに第５実施例を図７に示す。本実施例のターゲット６Ｅは、ターゲット板であるアクリル板１０に切欠きを設けず、アクリル板１０の裏面に反射面を形成せずに、アクリル板１０の表面において、基準線２０を白色でシルク印刷しており、基準線２０の一端側には前記第１実施例の切欠き５０が存在する位置に対応させて細長い二等辺三角形８０を白色で不透明シルク印刷している。これ以外は、前記第１実施例と同じである。この実施例では、レーザビーム２の照射部分２６については、白色でシルク印刷された二等辺三角形８０とその他の部分８２とでは、輝度や色が異なるため、二等辺三角形８０の部分は、第１実施例の切欠き５０と似た機能を有し、第１実施例と同じ効果を奏する。もちろん、二等辺三角形８０は、レーザビーム２で照射したとき、アクリル板１０と輝度や色の差異が生じるような色を選定すれば、白色以外の色でシルク印刷してもよいし、アクリル板１０の裏面に反射面を形成してもよい。
【００２５】
ところで、本発明は、前記各実施例に限るものではなく、たとえば、次のように種々の設計変更が可能である。
【００２６】
前記第１、２、３の各実施例のターゲットでは、レーザビーム２がターゲット板であるアクリル板１０で充分に反射するように、アクリル板１０の裏面に反射シートを貼着したり、反射塗料を塗布したりして反射面を形成したが、この反射面は形成しなくてもよい。この場合は、レーザビーム２がアクリル板１０を透過するので、ターゲットの裏側からも、アクリル板１０に映ったレーザビーム２の照射部分２６を見ることができるので、ターゲットの裏側からでも墨出し作業等が可能になる。この反射面は、アクリル板１０の裏側の左右方向半分のみに形成することも可能である。特に、第２実施例において、アクリル板１０の裏側の左右方向半分のみに反射面を形成すると、ターゲットの正面と裏面のどちらからも、レーザビーム２の照射部分をよく見ることができて便利である。
【００２７】
また、前記第２実施例においては、ターゲット６Ｂの構造を簡単にして安価にするため、２つの二等辺三角形の切欠き５０の一方を省くことが可能であり、又は、四角形の切欠き７０を省くことも可能である。
【００２８】
【発明の効果】
以上の説明から明らかなように、請求項１に係る発明によれば、ターゲットにおいて、基準線と一致する中心線と、照射されるレーザビームによるターゲット板上の照射部分の幅よりもいくらか長い底辺を有する二等辺三角形の切欠きを設けたから、この基準線に沿うレーザビームを出射させながら、ターゲットを上下させ、レーザビームにより照射されたターゲット板上の高輝度面の端において、上側の端と下側の端との左右方向位置を正確に一致させることにより、墨出し作業時等にレーザビームにより設定された基準面とターゲットに描かれた基準線とを高精度で容易に一致させることができる。しかも、レーザ測量機を改修する必要はなく、ターゲットのみをわずかに改良するだけであるから、極めて経済的である。
【００２９】
請求項２に係る発明によれば、さらに、二等辺三角形の切欠きの頂角には面取りがされているから、この切欠きの頂角付近での応力集中が緩和され、この頂角からターゲットの破損が発生することを防止できる。
【００３０】
請求項３に係る発明によれば、ターゲット板の裏面に形成された反射面に、基準線と一致する中心線と、レーザ測量機から出射されるレーザビームによるターゲット板上の照射部分の幅よりもいくらか長い底辺とを有する二等辺三角形の切欠きを設けたから、この反射面に設けた切欠きはレーザビームを反射せず、請求項１に係る発明の切欠きに似た機能を有する。よって、本発明は、請求項１に係る発明と同じ効果を奏する。
【００３１】
請求項４に係る発明によれば、さらに、二等辺三角形の切欠きは、基準線の両端に配置されたから、レーザビームで照射された高輝度部の両端において、夫々の上側の端と下側の端とを同時に一致させることにより、ターゲットが傾いた状態ままターゲットの位置合わせ行うことが防止でき、いっそう高精度で容易にレーザビームの設定する基準面とターゲットに描かれた基準線とを一致させ易い。
【００３２】
請求項５係る発明によれば、さらに、ターゲットに基準線に一致する底辺を有する切欠きを設けたから、底辺に沿って直線を引くことにより、レーザビームの照射部分の中心線に一致する直線を簡単に引くことができて便利である。
【００３３】
請求項６に係る発明によれば、さらに、レーザビームを確実に測量機へ向けて反射する反射ターゲット部を備えたから、この反射ターゲット部を基準にして、測量機から出射するレーザビームをスキャンさせることができ、これにより、レーザビームをスキャンさせて使用するレーザ測量機とともに使用した場合にも、レーザビームにより設定された基準面とターゲットに描かれた基準線とを高精度で容易に一致させることができる。
【００３４】
請求項７に係る発明によれば、ターゲット板に、基準線と一致する中心線とレーザ測量機から出射されるレーザビームによるターゲット板上の照射部分の幅よりもいくらか長い底辺とを有する二等辺三角形を不透明シルク印刷したから、レーザビームの照射部分については、二等辺三角形の部分は、その他の部分と輝度や色が相違するため、請求項１に係る発明の切欠きに似た機能を有する。よって、本発明は、請求項１に係る発明と同じ効果を奏する。
【図面の簡単な説明】
【図１】本発明の第１実施例であるレーザ測量機用ターゲットの正面図である。
【図２】前記ターゲットの基準線がレーザビームの照射部分の中心線より下側にずれた状態を示す図である。
【図３】前記ターゲットの基準線がレーザビームの照射部分の中心線より上側にずれた状態を示す図である。
【図４】本発明の第２実施例であるレーザ測量機用ターゲットの正面図である。
【図５】本発明の第３実施例であるレーザ測量機用ターゲットの正面図である。
【図６】本発明の第４実施例であるレーザ測量機用ターゲットの裏面図である。
【図７】本発明の第５実施例であるレーザ測量機用ターゲットの正面図である。
【図８】従来のレーザ測量機（レベルプレーナ）を示す図である。
【図９】従来のレーザ測量機用ターゲットの正面図である。
【符号の説明】
１            レーザ測量機
２            レーザビーム
６Ａ、６Ｂ、６Ｃ、６Ｄ、６Ｅ    ターゲット
１０            アクリル板（ターゲット板）
２０            基準線
２６            照射部分
５０、５１        二等辺三角形の切欠き
５２            中心線
５４            底辺
５８            頂角
６８            底辺
７０            四角形の切欠き
７４            反射ターゲット部
【図１】
0003811413.tif 000002
【図２】
0003811413.tif 000003
【図３】
0003811413.tif 000004
【図４】
0003811413.tif 000005
【図５】
0003811413.tif 000006
【図６】
0003811413.tif 000007
【図７】
0003811413.tif 000008
【図８】
0003811413.tif 000009
【図９】
0003811413.tif 000010